(57)【要約】      （修正有）【課題】地球儀本体製作法の簡易化を計り、普及に貢献する。【解決手段】構成素材にプラスチックダンボールを使用することを特色とし、３粍竹ヒゴを補強材とし、緯度１０度毎に分割したプラスチックダンボール舟形３６片で構成する。各舟形は南北中央を赤道位置の１０粍程度の円盤状保持盤に固定し、南北両端を曲面に合わせた各円盤状保持盤に固定して構成する。【選択図】図１
0003138604.tif 000002
【実用新案登録請求の範囲】
【請求項１】
地球儀本体の製作を量産化して、地球儀の普及を計ろうとするものである。
素材にプラスチック・ダンボールを使用し、分割した舟形３６片で構成するのを基本として、下記の請求項３、請求項４、請求項５を作成する。
【請求項２】
素材にベニヤ合板を使用し、他は請求項１と同様とする。
【請求項３】
縮尺１０，０００，０００分の１を大型とし、赤道位置の直径１、２７５．６粍、周囲４，００７．４粍となるのを基本として作成する。
【請求項４】
縮尺２０，０００，０００分の一を中型とし、赤道位置の直径６３７．８粍、周囲２，００３．７粍となるのを基本としして作成する。
【請求項５】
縮尺３０，０００，０００分の１を小型とし、赤道位置の直径４２５．２粍、周囲１，３３６．８粍となるのを基本としして作成する。
【請求項６】
各、縮尺の地図を舟形３６片として作成し、表面に貼り地球儀として完成させる。
【考案の詳細な説明】
【技術分野】
【０００１】  本考案は地球儀本体の製作を簡易化し、地球儀の普及を計り世界政情の理解と認識を深めるのを目的とし、完全な球体を必要とする要求を満たそうとするものであり、この本体構成の素材としてプラスチック・ダンボールに着目し、この利用の為「請求項３」に示した大型、「請求項４」に示した中型、及び「請求項５」に示した小型地球儀本体の製作が容易になった。【０００２】  「請求項２」に示したベニヤ板薄板使用の方式も考案した。これを素材とする製作法を示した。
【背景技術】
【０００３】  素材としてのプラスチック・ダンボールに着目したのが出発点である。【０００４】  素材としてにベニヤ板薄板使用に着目したのが出発点である。【０００５】  地球儀支持構成に塩化ビニールパイプ使用に着目したのが出発点である。
【課題を解決しょうとする手段】
【０００６】  プラスチック・ダンボールの活用が効果的解決手段である。
【０００７】  ベニヤ板薄板使用に着目したのが解決手段である。
【考案が解決しょうとした課題】
【０００８】地球儀の入手困難（生産寡小の為か高価額）であるが、この解消を計る。
【考案が解決しょうとした課題の延長線の課題】
【０００９】地球儀としての最重要要素である表面地図、貼り付けの舟型の地図（経度沿いの縦割り３６分割）は国語別、用途別により多様性が要求されるが、需要拡大による投資増額が期待されるので、充分な製作対応策をたてられるよう要望される。
【考案の効果】
【００１０】  工作教材として採用される可能性大である。この普及より考えられる効果は頗る大である。さらに国内に止まらず、広く海外にも及ぶ国際的効用を示すと考えられる。この輸出有効性を考慮されることも希望される。
【図面の簡単な説明】
【００１１】
【図１】使用する素材プラスチック・ダンボール（プラダン）は９１糎×１８２糎×厚さ４粍「請求項１」に記載したが、最も需要が期待される機種、「請求項４」に記載した２０．０００，０００分の１型の諸元は直径６３７．８粍、外周２，００３．７粍になるように製作する。舟型は外周の２分１の長さ、幅は外周の３６分の１として、適宜の枚数を連続製作するのが望ましい。中心軸に１８粍塩化ビニール管を使用し、南・北の各両極位置に１００粍程度の円盤を着け、舟型端末を揃えて貼り付けて、球状に成型する。赤道位置に安定保持の為、円盤を作成して取り付ける。此等はソケットにより位置確定を計る。付記  球体を南北両極を支点として回転させる円状管と、これを水平に支える半円状管は同様の１８粍塩化ビニール管を使用する。図示の脚部分は同様仕様であるが、形状・長短は適宜の対応作成とする。此等に使用する塩化ビニール管は熱処理・治具により、成型するものとする。
【註・参考付記】
繁雑を避ける為に下記分の図面は省略した。
「請求項３」に記載した１０．０００，０００分の１型（大型）の諸元は、直径１，２７５．６粍、外周４，００７．４粍になるように製作する。
中心軸に２６粍塩化ビニール管を使用する以外は、２０．０００，０００分の１型と共通とする。
「請求項５」に記載した３０．０００，０００分の１型（小型）の諸元は、直径４２５．２粍、外周１，３３６．８粍になるように製作し、その他は２０．０００，０００分の１型のそれを準用する。
【図１】
0003138604.tif 000003
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
地球儀本体の製作を容易にして、地球儀の普及を計ろうとするものである。
素材にプラスチック・ダンボールを使用し、竹ヒゴを補強材とした地球儀。
【請求項２】
緯度１０度毎に分割した舟形３６片で構成し、形状は肥脊度を緯度１０度毎に算出した数値を共通の肥脊係数として使用計算し決定した地球儀。
【請求項３】
各舟形は中心を赤道位置のややあつめ（５．５〜１０粍）の円板状ベニヤ板に固定し、南北両端を曲面に合わせた円盤に固定し球体を構成した地球儀。
【請求項４】
南北両極と赤道位置の円盤は１８粍塩ビニール管で固定し、保持芯として１２粍木棒を中に通し環状帯に固定して構成した地球儀。
【請求項５】
地球儀本体を保持する環状帯は、円弧状に裁断したベニヤ合板を交互に積層圧着成型して構成し、これを支える半環状帯・脚も同様に作成した地球儀。
【請求項６】
縮尺１０，０００，０００分の１を大型とし、赤道位置の直径１，２７５，６粍、周囲４，００７．４粍となるのを基本として作成した地球儀であるが、以下の各種の縮尺には要望通りに適応し得るのを特色とする地球儀。
【手続補正２】
【補正対象書類名】図面
【補正対象項目名】図１
【補正方法】変更
【補正の内容】
【図１】
0003138604.tif 000004
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
地球儀本体の製作を容易にし地球儀の普及を計る為、構成素材にプラスチックダンボールを使用することを特色とし、３粍竹ヒゴを補強材とする地球儀である。
【請求項２】
経度１０度毎に分割したプラスチック・ダンボール舟形３６片で構成し、形状は緯度１０度毎に算出した数値を共通の肥瘠係数として使用して計算し、作成した地球儀である。
【請求項３】
各舟形は南北中央を赤道位置の１０粍程度の円盤状保持盤に固定し、南北両端を曲面に合わせた各円盤状保持盤に固定して構成した地球儀である。
【請求項４】
南北両極と赤道位置の保持円盤は１８粍塩ビ管で固定し、内部に保持芯として１２粍木棒を通し外側環状帯に固定し、回転可能な球体に構成した地球儀である。
【請求項５】
地球儀本体を保持する外側環状帯は、円弧状に裁断したベニヤ合板を交互に積層し圧着・成型して構成し、支える半環状帯も同様に作成し、さらにこれらを支える２個の脚部も同様に作成した地球儀である。
【手続補正２】
【補正対象書類名】図面
【補正対象項目名】全図
【補正方法】変更
【補正の内容】
【図１】
0003138604.tif 000005
【手続補正３】
【補正対象書類名】明細書
【補正対象項目名】全文
【補正方法】変更
【補正の内容】
【考案の詳細な説明】
【技術分野】
【０００１】  本考案は地球儀本体の製作を簡易化し、地球儀の普及を計り世界政情の理解と認識を深めるのを目的とし、完全な球体を必要とする要求を満たそうとするものであり、この本体構成の素材としてプラスチック・ダンボールに着目し、この利用の為大型から中型、及び各種の縮尺に適合した地球儀本体の製作が容易になった。【０００２】  ［請求項５］に示したベニヤ板薄板交互積層圧着の保持環状帯方式も考案した。これも分割圧着により、［０００１］の本体に相応する広範な適応性が増大した。
【背景技術】
【０００３】  素材としてのプラスチック・ダンボールに着目したのが技術的な出発点である。【０００４】  補強材として竹ヒゴ（１本、大型は必要に応じ複数本）使用の開発も同様である。【０００５】  円弧状に切り抜いたベニヤ板薄板積層圧着による製法の開発も同様である。
【課題を解決しょうとする手段】
【０００６】  プラスチック・ダンボールの活用が効果的解決手段である。
【０００７】  ベニヤ板薄板交互の積層・圧着成型による使用に着目したのが解決手段である。
【考案が解決しょうとした課題】
【０００８】地球儀の入手困難（生産寡小の為か高価額）の解消を計る可能性が大きい。
【考案が解決しょうとした課題の延長線の課題】
【０００９】地球儀としての最重要要素である表面地図、貼り付けの舟型の地図（経度沿いの縦割り３６分割）は国語別、用途別により多様性が要求されるが、需要拡大による投資増額が期待されるので、充分な製作対応策をたてられるよう要望される。
【考案の効果】
【００１０】  工作教材として採用される可能性もまた大である。その効果は大きく普及により考れる効果は頗る大である。さらに国内に止まらず、広く海外にも及ぶ国際的効用を示すと考えられる。この輸出有効性さらに国際的貢献を考慮されることも希望される。
【図面の簡単な説明】
【００１１】
【図１】はＡ・Ｂ・Ｃ・Ｄの４図により構成される。Ａ、は［請求項２］に示すプラスチック・ダンボールから切られた舟型であり、これの３６片をもって、地球儀を構成する。組み上げの際に端末の中心管部は切り落とし調製する。Ｂ、は断面説明図であるが、各舟型は［請求項３］に示す南北及び中心赤道部保持盤に接着剤とタッーカーをもって記載の通り固定し成型する。地球儀は外側半環状帯左右２点の支持具により保持され構成される。環状帯、外側半環状帯、左右２脚いずれもベニヤ薄板の円弧型裁断片の交互積層接着成型により作成される。Ｃ、は側面図であるが両脚の半円型を示す。Ｄ、は構成の開明説明図である。
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
地球儀本体の製作を容易にし地球儀の普及を計る為、構成素材にプラスチックダンボールを使用することを特色とし、３粍竹ヒゴを補強材とする地球儀。
【請求項２】
経度１０度毎に分割したプラスチックダンボール舟形３６片で構成する請求項１の地球儀。
【請求項３】
各舟形は南北中央を赤道位置の１０粍程度の円盤状保持盤に固定し、南北両端を曲面に合わせた各円盤状保持盤に固定して構成する請求項２の地球儀。
【請求項４】
各舟形は南北両極と赤道位置の保持円盤は１８粍塩ビ管で固定し、内部に保持芯として１２粍木丸棒を通し外側環状帯に固定し、回転可能な球体に構成する請求項２または３の地球儀。
【請求項５】
地球儀本体を保持する外側環状帯は、円弧状に裁断したベニヤ合板を交互に積層し圧着・成型して構成し、支える半環状帯も同様に作成し、さらにこれらを支える２個の脚部も同様に作成する請求項４の地球儀。